(57)【特許請求の範囲】
【請求項１】
巻形兼シールドの外周にコイルが巻装され、前記巻形兼シールドには１ターンを構成しないようにカット部が形成されている静止誘導機器において、
前記巻形兼シールドの前記カット部には、柱状部の端部に抜止め頭部を有する断面ほぼＴ字形をなす成形絶縁物が、その抜止め頭部を前記コイルで押さえるように該巻形兼シールドの巻装面側に存在させ、且つその柱状部を該カット部間に介在させて配置されている静止誘導機器。
【請求項２】
容器内に計器用変圧器が設置され、該計器用変圧器本体は前記容器内に充気された絶縁ガスで絶縁されており、前記計器用変圧器は鉄心に巻形を介して巻装された２次コイル、該２次コイルの外周に巻形兼シールドを介して巻装された１次コイル、該１次コイルの外周を包囲する高圧シールドを有して構成され、前記巻形兼シールドには１ターンを構成しないようにカット部が形成されているガス絶縁計器用変圧器において、
前記巻形兼シールドの前記カット部には、柱状部の端部に抜止め頭部を有する断面ほぼＴ字形をなす成形絶縁物が、その抜止め頭部を前記１次コイルで押さえるように該巻形兼シールドの巻装面側に存在させ、且つその柱状部を該カット部間に介在させて配置されているガス絶縁計器用変圧器。
【発明の詳細な説明】
【０００１】
【発明の属する技術分野】
本発明は、静止誘導機器及びガス絶縁計器用変圧器に関する。
【０００２】
【従来の技術】
図４は従来の静止誘導機器の一種であるガス絶縁計器用変圧器の構成を示した縦断端面図である。このガス絶縁計器用変圧器は、方形をなす鉄心１の一辺に１次コイル２と２次コイル３とを同心状に組み付けた計器用変圧器本体４が容器５内に組み込まれ、計器用変圧器本体４は容器５内に充気されたＳＦ6 ガスからなる絶縁ガス６で絶縁された構造になっている。
【０００３】
計器用変圧器本体４は、鉄心１に図示しない巻形を介して巻装されている２次コイル３と、この２次コイル３の外周に巻形兼シールド７を介して巻装されている１次コイル２と、この１次コイルの外周を覆う高圧シールド８とを有していて、１次コイル２の一端は高圧シールド８に電気的に接続され、１次コイル２の他端は巻形兼シールド７に電気的に接続されている。
【０００４】
容器５の上部には、１対のブッシング９，１０が接続されていて、ブッシング９内の導体１１は高圧シールド８を介して１次コイル２の一端に電気的に接続され、ブッシング１０内の導体１２は巻形兼シールド７を介して１次コイル２の他端に電気的に接続されていて、１次コイル２に高電圧が印加されるようになっている。この１次コイル２の高電圧は、２次コイル３で電圧測定可能な電圧に高精度で変成されるようになっている。
【０００５】
巻形兼シールド７は、１次コイル２の巻形と、接地電位にある２次コイル３、鉄心１、低圧シールド１３及び低圧シールド１４の絶縁シールドの機能をもっている。
【０００６】
また、低圧シールド１３及び低圧シールド１４は、鉄心１の突起や図示しないが２次側の配線の絶縁シールドの機能をもっている。
【０００７】
一般に巻形兼シールド７は、絶縁シールドの機能をもつため金属でできていて導電性があるため、１ターンの電流が流れないように、その円周の一部にカット部を設ける必要がある。そしてこの巻形兼シールド７は、巻形を兼ねているので１次コイル２が外周に巻かれることになるが、１次コイル２の張力によってその巻形が変形し、カット部が接触してターン電流が流れる問題点がある。
【０００８】
従来から、このカット部の接触を防ぐために、硬化性樹脂をこのカット部に充填したり、硬化性樹脂を断面Ｈ状に成形した成形絶縁物をこのカット部に介在させる対策がとられていた。
【０００９】
【発明が解決しようとする課題】
しかしながら、硬化性樹脂をカット部に充填する構造では、樹脂の選択に限りがあり、樹脂の強度や完全に硬化するまでに時間を要する問題点があった。
【００１０】
また、断面Ｈ状に成形した成形絶縁物では、接着剤でカット部に固定しており、固定に手間がかかり、コストアップする問題点があった。
【００１１】
本発明の目的は、簡単に、短時間に、低コストでカット部の接触を防ぐことができる静止誘導機器を提供することにある。
【００１２】
本発明の他の目的は、簡単に、短時間に、低コストでカット部の接触を防ぐことができるガス絶縁計器用変圧器を提供することにある。
【００１３】
【課題を解決するための手段】
本発明は、巻形兼シールドの外周にコイルが巻装され、該巻形兼シールドには１ターンを構成しないようにカット部が形成されている静止誘導機器を対象とする。
【００１４】
本発明に係る静止誘導機器では、巻形兼シールドのカット部には、柱状部の端部に抜止め頭部を有する断面ほぼＴ字形をなす成形絶縁物が、その抜止め頭部をコイルで押さえるように該巻形兼シールドの巻装面側に存在させ、且つその柱状部を該カット部間に介在させて配置されている。
【００１５】
このように柱状部の端部に抜止め頭部を有する断面ほぼＴ字形をなす成形絶縁物を用いて、その抜止め頭部をコイルで押さえるように該巻形兼シールドの巻装面側に存在させ、且つその柱状部を該カット部間に介在させると、該成形絶縁物はその抜止め頭部がコイルで押さえられるので、接着剤で巻形兼シールドに固定する必要がなくなり、簡単に、短時間に、低コストでカット部の接触を防ぐことができる。また、成形絶縁物によれば、樹脂の選択の幅が広がるため、必要な強度の樹脂を自由に選ぶことができ、品質の向上を図ることができる。
【００１６】
また本発明は、容器内に計器用変圧器が設置され、該計器用変圧器本体は容器内に充気された絶縁ガスで絶縁されており、計器用変圧器は鉄心に巻形を介して巻装された２次コイル、該２次コイルの外周に巻形兼シールドを介して巻装された１次コイル、該１次コイルの外周を包囲する高圧シールドを有して構成され、巻形兼シールドには１ターンを構成しないようにカット部が形成されているガス絶縁計器用変圧器を対象とする。
【００１７】
本発明に係るガス絶縁計器用変圧器では、巻形兼シールドのカット部には、柱状部の端部に抜止め頭部を有する断面ほぼＴ字形をなす成形絶縁物が、その抜止め頭部を１次コイルで押さえるように該巻形兼シールドの巻装面側に存在させ、且つその柱状部を該カット部間に介在させて配置されている。
【００１８】
このように柱状部の端部に抜止め頭部を有する断面ほぼＴ字形をなす成形絶縁物を用いて、その抜止め頭部を１次コイルで押さえるように該巻形兼シールドの巻装面側に存在させ、且つその柱状部を該カット部間に介在させると、該成形絶縁物はその抜止め頭部が１次コイルで押さえられるので、接着剤で巻形兼シールドに固定する必要がなくなり、簡単に、短時間に、低コストでカット部の接触を防ぐことができる。また、成形絶縁物によれば、樹脂の選択の幅が広がるため、必要な強度の樹脂を自由に選ぶことができ、品質の向上を図ることができる。
【００１９】
【発明の実施の形態】
図１乃至図３は静止誘導機器の一種であるガス絶縁計器用変圧器に本発明を適用した実施の形態の一例を示したもので、図１は本例のガス絶縁計器用変圧器で用いている計器用変圧器本体の一部縦断側面図、図２は図１のＡ部の拡大図、図３はＡ部に示されている成形絶縁物の斜視図である。
【００２０】
本例のガス絶縁計器用変圧器では、巻形兼シールド７にターン電流が流れないようにその円周の一部に設けられているカット部１５には、柱状部１６ａの端部に抜止め頭部１６ｂを有する断面ほぼＴ字形をなす成形絶縁物１６が、その抜止め頭部１６ｂを１次コイル２で押さえるように該巻形兼シールド７の巻装面側に存在させ、且つその柱状部１６ａを該カット部１５間に介在させて配置されている。
【００２１】
このように柱状部１６ａの端部に抜止め頭部１６ｂを有する断面ほぼＴ字形をなす成形絶縁物１６を用いて、その抜止め頭部１６ｂを１次コイル２で押さえるように該巻形兼シールド７の巻装面側に存在させ、且つその柱状部１６ａを該カット部１５間に介在させると、該成形絶縁物１６はその抜止め頭部１６ｂが１次コイル２で押さえられるので、接着剤で巻形兼シールド７に固定する必要がなくなり、簡単に、短時間に、低コストでカット部１５の接触を防ぐことができる。また、成形絶縁物１６によれば、樹脂の選択の幅が広がるため、必要な強度の樹脂を自由に選ぶことができ、品質の向上を図ることができる。
【００２２】
上記例は、ガス絶縁計器用変圧器に本発明を適用した場合について説明したが、本発明はこれに限定されるものではなく、巻形兼シールドを有してその外周にコイルを巻装する静止誘導機器の該巻形兼シールドにも同様に本発明を適用することができる。
【００２３】
【発明の効果】
本発明に係る静止誘導機器では、巻形兼シールドのカット部に、柱状部の端部に抜止め頭部を有する断面ほぼＴ字形をなす成形絶縁物が、その抜止め頭部をコイルで押さえるように該巻形兼シールドの巻装面側に存在させ、且つその柱状部を該カット部間に介在させて配置したので、該成形絶縁物はその抜止め頭部がコイルで押さえられることになり、接着剤で巻形兼シールドに固定する必要がなくなって、簡単に、短時間に、低コストでカット部の接触を防ぐことができる。また、成形絶縁物によれば、樹脂の選択の幅が広がるため、必要な強度の樹脂を自由に選ぶことができ、品質の向上を図ることができる。
【００２４】
また本発明に係るガス絶縁計器用変圧器では、巻形兼シールドのカット部に、柱状部の端部に抜止め頭部を有する断面ほぼＴ字形をなす成形絶縁物が、その抜止め頭部を１次コイルで押さえるように該巻形兼シールドの巻装面側に存在させ、且つその柱状部を該カット部間に介在させて配置したので、該成形絶縁物はその抜止め頭部が１次コイルで押さえられることになり、接着剤で巻形兼シールドに固定する必要がなくなり、簡単に、短時間に、低コストでカット部の接触を防ぐことができる。また、成形絶縁物によれば、樹脂の選択の幅が広がるため、必要な強度の樹脂を自由に選ぶことができ、品質の向上を図ることができる。
【図面の簡単な説明】
【図１】ガス絶縁計器用変圧器に本発明を適用した実施の形態の一例で用いている計器用変圧器本体の一部縦断側面図である。
【図２】図１のＡ部の拡大図である。
【図３】図２のＡ部に示されている成形絶縁物の斜視図である。
【図４】従来の静止誘導機器の一種であるガス絶縁計器用変圧器の構成を示した縦断端面図である。
【符号の説明】
１  鉄心
２  １次コイル
３  ２次コイル
４  計器用変圧器本体
５  容器
６  絶縁ガス
７  巻形兼シールド
８  高圧シールド
９，１０  ブッシング
１１，１２  導体
１３，１４  低圧シールド
１５  カット部
１６  成形絶縁物
１６ａ  柱状部
１６ｂ  抜止め頭部
【図１】
0003855722.tif 000002
【図２】
0003855722.tif 000003
【図３】
0003855722.tif 000004
【図４】
0003855722.tif 000005